(57)【要約】      （修正有）【課題】粘着シートを用いることなく、何度でも洗濯して使用可能なＥＭＳ運動器を提供する。【解決手段】低周波電流を発生させる低周波電流発生部２１とマッサージ部２２を設けた本体部２と、本体部に接続部を介して接続した一対の電極部と、各電極部を夫々固定した一対の導電生地で形成された導電部４を備えた上カバー部３１及び上カバー部とともに本体部を収容する下カバー部３２とからなるカバー部３とを備える。上カバー部を取り外して洗濯することにより、何度も使用することができる。【選択図】図１
0003208843.tif 000002
【実用新案登録請求の範囲】
【請求項１】
低周波電流を発生させる低周波電流発生部を設けた本体部と、当該本体部に接続部を介して接続した一対の電極部と、当該各電極部を夫々固定した一対の導電生地で形成された導電部を備えた上カバー部及び当該上カバー部とともに前記本体部を収容する下カバー部とからなるカバー部とを備えてなることを特徴とするＥＭＳ運動器。
【請求項２】
前記導電部は、表面に導電性金属及び耐食性金属を塗布した繊維素材から形成された導電生地であることを特徴とする請求項１に記載のＥＭＳ運動器。
【請求項３】
前記導電性金属が銅であり、耐食性金属がニッケルであることを特徴とする請求項２に記載のＥＭＳ運動器。
【請求項４】
前記繊維素材、導電性金属及び耐食性金属の組成比は、２０〜８０（繊維素材）：１０〜４０（導電性金属）：１０〜４０（耐食性金属）で合計が１００となるように構成されてなることを特徴とする請求項２又は３のいずれかに記載のＥＭＳ運動器。
【請求項５】
前記上カバー部の外側に、当該上カバー部の導電部に対応する位置に一対の外側導電部を備えた外側上カバー部を被装してなることを特徴とする請求項１乃至４のいずれかに記載のＥＭＳ運動器。
【請求項６】
前記本体部は、偏心回転させることにより本体部を振動させる偏心分銅をマッサージ部として設けてなることを特徴とする請求項１乃至５のいずれかに記載のＥＭＳ運動器。
【考案の詳細な説明】
【技術分野】
【０００１】
本考案は、粘着シートを用いず、何度も洗濯することで使用可能であるＥＭＳ運動器に関する。
【背景技術】
【０００２】
従来、ＥＭＳ（Ｅｌｅｃｔｒｉｃａｌ  Ｍｕｓｃｌｅ  Ｓｔｉｍｕｌａｔｉｏｎ）を用いた低周波の電気刺激による運動器は、筋肉への刺激による肉体強化やダイエットを目的として、ジム等のトレーニング施設だけでなく、現在では、家庭用に用いることのできる種々のＥＭＳ運動器が提供されている。
【０００３】
例えば、一般的な家庭用のＥＭＳ運動器では、取外し可能な粘着シートに電極を取付け、低周波電流を流すことにより、粘着シートを貼付した使用者の身体部位を電気刺激するものが市販されている。
【０００４】
一方で、粘着シートを利用して低周波電流による電気刺激を使用者の身体部位に付与するものとしては、治療器本体にケーブルを介して連結された一対の導子を備えた低周波治療器であって、使用者の患部に粘着シートを貼着し、前記導子の電極部の先端を粘着シートと患部の間に挿入するものが開示されている（特許文献１）。
【先行技術文献】
【特許文献】
【０００５】
【特許文献１】特開２０１１−２１２２４９号公報
【考案の概要】
【考案が解決しようとする課題】
【０００６】
しかしながら、前記従来のＥＭＳ運動器等では、導子の電極部を粘着シートを介して使用者の身体部位に接触させているため、複数回使用すると粘着シートの粘着力が低下してしまい、当該粘着シートを交換しなければ改めて当該ＥＭＳ運動器等を使用することができず、使用者にとっては費用的及び作業的な交換コストの負担が大きいという問題があった。
【０００７】
そこで、本考案は、粘着シートを用いることなく、何度でも洗濯して使用可能なＥＭＳ運動器を提供することを課題とした。
【課題を解決するための手段】
【０００８】
上記課題を解決するために、本考案は次のように構成した。すなわち、本考案に係る請求項１に記載のＥＭＳ運動器は、低周波電流を発生させる低周波電流発生部を設けた本体部と、当該本体部に接続部を介して接続した一対の電極部と、当該各電極部を夫々固定した一対の導電生地で形成された導電部を備えた上カバー部及び当該上カバー部とともに前記本体部を収容する下カバー部とからなるカバー部とを備えてなることを特徴としている。
【０００９】
また、請求項２に記載のＥＭＳ運動器は、前記導電部が、表面に導電性金属及び耐食性金属を塗布した繊維素材から形成された導電生地であることを特徴としている。
【００１０】
また、請求項３に記載のＥＭＳ運動器は、前記導電性金属が銅であり、耐食性金属がニッケルであることを特徴としている。
【００１１】
また、請求項４に記載のＥＭＳ運動器は、前記繊維素材、導電性金属及び耐食性金属の組成比は、２０〜８０（繊維素材）：１０〜４０（導電性金属）：１０〜４０（耐食性金属）で合計が１００となるように構成されてなることを特徴としている。
【００１２】
また、請求項５に記載のＥＭＳ運動器は、前記上カバー部の外側に、当該上カバー部の導電部に対応する位置に一対の外側導電部を備えた外側上カバー部を被装してなることを特徴としている。
【００１３】
さらに、請求項６に記載のＥＭＳ運動器は、前記本体部には、偏心回転させることにより本体部を振動させる偏心分銅が内蔵されてなることを特徴としている。
【考案の効果】
【００１４】
本考案に係る請求項１に記載のＥＭＳ運動器によれば、従来の粘着シートの代替として、導電生地を使用者の身体部位に接触させることにより電気刺激を付与するものであり、粘着シートのように上カバー部を交換することなく、何度でも上カバー部を洗濯して使用可能であり、従来の粘着シート使用による交換コストの負担を無くすことができる。
【００１５】
また、請求項２に記載のＥＭＳ運動器によれば、導電部として、表面に導電性に優れた導電性金属、及び、酸化及び酸性に強い耐食性に優れた耐食性金属を塗布した繊維素材からなる導電生地を用いたことにより、効果的に使用者の身体部位に電気刺激を付与することができる。
【００１６】
また、請求項３に記載のＥＭＳ運動器によれば、当該導電性金属及び耐食性金属として夫々銅及びニッケルを用いたことにより、導電性及び耐食性といった効果を十分に発揮できるとともに、製造コストを抑制でき、使用者に安価に提供することができる。
【００１７】
また、請求項４に記載のＥＭＳ運動器によれば、前記組成比で繊維素材、導電性金属及び耐食性金属を構成することにより、より最適に効果的に使用者の身体部位に電気刺激を付与することができる。
【００１８】
また、請求項５に記載のＥＭＳ運動器によれば、前記上カバー部の外側に、さらに外側上カバー部を設けたことにより、本体部をカバー部で被覆したままで当該外側上カバー部だけを取り外して容易に洗濯することができ、使用者の使い勝手のより良くなる。
【００１９】
さらに、請求項６に記載のＥＭＳ運動器によれば、前記ＥＭＳ運動器による効果に加え、本体部の振動による使用者身体部位に対するマッサージ効果をも得ることができ、導電部として粘着シートではなく導電性生地を用いたことにより、使用者の身体部位との接触面において抵抗なく前記ＥＭＳ運動器による効果と振動によるマッサージ効果とを同時に付与することができる。
【図面の簡単な説明】
【００２０】
【図１】本考案に係るＥＭＳ運動器の構造を示す斜視図である。
【図２】ＥＭＳ運動器の構造を示す斜視図である。
【図３】ＥＭＳ運動器の構造を示す斜視図である。
【図４】ＥＭＳ運動器の使用状態を示す図である。
【図５】ＥＭＳ運動器の使用状態を示す図である。
【考案を実施するための形態】
【００２１】
以下、図面に基づいて本考案を具体的に説明する。まず、図１及び図２は、本考案に係るＥＭＳ運動器１の構成を示す斜視図である。ＥＭＳ運動器１は、基本的には、本体部２と、当該本体部２を被覆するカバー部３と、当該カバー部３に形成された一対の導電生地からなる導電部４と、図２に示す本体部２から接続部５を介して導電部４に固定する電極部６とから構成されている。
【００２２】
本体部２は、周知の低周波電流発生部２１とともに、回転軸を軸として偏心分銅を偏心回転させることにより本体部２を振動させるマッサージ部２２とから構成されている。なお、本体部２を動作させるための電源ケーブル、モータ、ボタンやリモコンといった操作部等の説明及び図示は、ここでは省略する。
【００２３】
カバー部３は、上カバー部３１及び下カバー部３２とからなり、上カバー部３１は、綿等の天然繊維、ポリエステル等の合成繊維、レーヨン等の再生繊維又はこれらの混合繊維を縫製してなる布生地の一部に一対の導電生地からなる導電部４を設けて椀状に形成されている。一方、下カバー部３２は、上カバー部３１と同様の布生地や合成樹脂製のケーシングとして椀状に形成できればよく、その素材は限定されるものではない。当該上カバー部３１及び下カバー部３２は、その椀状の開口側縁端の一部が連結されており、夫々椀状の開口方向を対向するようにしてその縁端を重ねることにより、前記本体部２を収納する。なお、上カバー部３１及び下カバー部３２は、特に図示しないが、ファスナー等により開閉可能となっている。
【００２４】
前記導電部４は、上カバー部３１の一部を形成する一対の導電生地であって、当該導電生地は、導電性に優れた銅及び耐食性に優れたニッケルを表面に均等に塗布した天然繊維、合成繊維、再生繊維又はこれらの混合繊維といった繊維素材から形成されている。本実施例の導電生地において、その組成比は、５０（繊維素材）：２７（銅）：２３（ニッケル）で、厚みは、０．１０ｍｍが最適であるが、その組成比は、２０〜８０（繊維）：１０〜４０（銅）：１０〜４０（ニッケル）で合計が１００となるように、また、厚みは、０．０１〜０．５ｍｍの範囲で種々変更してもよい。また、本実施例における導電生地のシート抵抗は、０．０３〜０．０５Ω／ｓｑである。
【００２５】
このように構成した導電部４においては、前記銅及びニッケルを前記繊維素材に塗布したことにより、効果的に使用者の身体部位に電気刺激を付与することができる。当該繊維素材に塗布する金属としては、導電性に優れた銅に代えてアルミニウム、銀又は金等の導電性金属を塗布してもよく、また、耐食性に優れたニッケルに代えてチタン又はジルコニウム等の耐食性金属を塗布してもよい。
【００２６】
なお、本実施例では、前記本体部２を衝撃等から保護し、また、使用者の肌触りを良くするためのクッション部７が設けられている。当該クッション部７は、図１の破線で示すように、前記本体部２を収容可能なスペースが下面に上方向へ陥没して設けられ、本体部２の上方向から被せるようにして前記本体部２を収容する。当該クッション部７は、本実施例では、スポンジ等の発泡合成樹脂素材により形成されているが、クッション性を有する素材であって本体部２をカバーして衝撃から保護できるものであればその他の素材を用いて形成してもよい。
【００２７】
また、ＥＭＳ運動器１は、図２に示すように、接続部５を介して電極部６を前記導電部４に固定している。接続部５は、一対のケーブルであって、夫々その一端が前記本体部２の低周波電流発生部２１に接続されており、前記クッション部７に設けられた一対の孔を貫通し、その他端が夫々一対の電極部６に接続されている。当該一対の電極部６は、上カバー部３１の一部に形成された一対の導電部４に夫々固定されている。
【００２８】
ＥＭＳ運動器１は、図１及び図２に示すように、前記本体部２をクッション部７に収容したのち下カバー部３２の椀状内部に載置し、上カバー部３１を各図に示す矢印方向に回転させて本体部２を被装する。このように、ＥＭＳ運動器１は、上カバー部３１及び下カバー部３２によってクッション部７に収容された本体部２を収納した上で、上カバー部３１及び下カバー部３２の縁端に形成されたファスナー（図示せず。）を閉じることによって形成される。
【００２９】
図３は、前記実施例のＥＭＳ運動器１の上カバー部３１の外側に、さらに外側上カバー部３３を被装する状態を示す斜視図である。当該外側上カバー部３３は、前記上カバー部３１と同様に構成で、綿等の天然繊維、ポリエステル等の合成繊維、レーヨン等の再生繊維又はこれらの混合繊維を縫製してなる布生地の一部に一対の導電生地からなる導電部４を設けた椀状で、前記上カバー部３１の外側から被覆可能な形状で形成されている。このように、ＥＭＳ運動器１は、さらに外側に外側上カバー３３を設けてもよく、これにより、本体部２をカバー部３で被覆したままで当該外側上カバー部３３だけを取り外して容易に洗濯することができ、使用者の使い勝手をより良くすることができる。なお、当該外側上カバー部３３の上カバー部３１表面への取り付けは、本実施例では図示しないファスナーを用いるが、その他面ファスナー等、着脱自在に取付けることができるものであればよく、特に限定されるものではない。
【００３０】
図４は、前記ＥＭＳ治療器１の使用状態を示す図である、当該ＥＭＳ治療器１には、その長手方向の両端から使用者の身体部位に巻付け可能なベルト８が取り付けられている。使用者は、当該ベルトを使用者の身体部位、例えば、図示のように腰部に巻き付け、ＥＭＳ運動器１の導電部４を使用者の腹部に接触させながら固定する。そして、ＥＭＳ運動器１の電源スイッチをＯＮにし、低周波電流による刺激を使用者の身体部位に付与し、本使用例では、使用者の腹筋をトレーニングすることができる。なお、使用するに際しては、導電部４の表面或いは使用者の身体部位を霧吹き等により湿らせてもよい。
【００３１】
図５も、前記ＥＭＳ運動器１の使用状態を示す図である。当該ＥＭＳ運動器１は、使用者が持運び容易な手頃な大きさ及び形状であって、図示するように、導電部４を外側にして椅子の背もたれに立て掛け、使用者が椅子に座った上で、使用者の腰部を導電部４に押し当てて使用することも可能である。
【００３２】
また、前記ベルト８を前記腰部とは別の身体部位、例えば、腕部又は脚部等に巻き付け可能に構成して、当該身体部位のトレーニングに使用したり、使用者がＥＭＳ運動器１を把持し、導電部４を使用者の身体部位に押し当てて使用したり、導電部４を外側にしてＥＭＳ運動器１を床面に載置し、使用者が床面に臥位となって使用したりしてもよい。使用者は、当該ＥＭＳ運動器１を使用する際、その電源スイッチをＯＮにし、低周波電流による刺激を使用者の身体部位に付与し、当該身体部位の筋力強化等のトレーニングを行うことができる。なお、使用するに際しては、導電部４の表面を霧吹き等により湿らせてもよい。
【００３３】
また、前記図４及び図５の使用例において、また、その他身体部位への使用に際して、本体部２に内蔵されているマッサージ部２２の偏心分銅を回転軸上で回転させることにより、ＥＭＳ運動器１を振動させることができる。そのため、使用者は、当該マッサージ部２２により、使用者の腰部等の身体部位に対して振動によるマッサージを施すこともできる。
【００３４】
使用者は、ＥＭＳ運動器１の使用後、粘着シート等を交換する必要はなく、複数回使用したのち、その表面に汚れ等があった場合には、上カバー部３１又は外側上カバー部３３を取り外して洗濯することで繰り返し使用することができ、前記交換コストの負担なくＥＭＳ運動器１を使用することができる。
【産業上の利用可能性】
【００３５】
前記実施例のＥＭＳ運動器１は、前記の通り、上カバー部３１又は外側上カバー部３３を取り外して容易に洗濯できる使い勝手の良さから、家庭や職場のみならずトレーニング施設等でも利用できる。すなわち、使用後の汚れた上カバー部３１又は外側上カバー部３３を洗濯済みの新たなものと交換することにより、すぐに別の使用者が当該ＥＭＳ運動器１を使用してトレーニングすることができる。
【符号の説明】
【００３６】
１    ＥＭＳ運動器
２    本体部
２１  低周波電流発生部
２２  マッサージ部
３    カバー部
３１  上カバー部
３２  下カバー部
３３  外側上カバー部
４    導電部
５    接続部
６    電極部
７    クッション部
８    ベルト
【図１】
0003208843.tif 000003
【図２】
0003208843.tif 000004
【図３】
0003208843.tif 000005
【図４】
0003208843.tif 000006
【図５】
0003208843.tif 000007